(57)【特許請求の範囲】
【請求項１】
インターネットに接続された第１及び第２の情報記憶装置と、
第１の情報記憶装置の記憶領域を複数の領域に分割してそれぞれを各加入者に割り当てるとともに、各加入者だけがその加入者に割り当てられた記憶領域にインターネット経由でアクセスし、情報機器で作成したデータやそのバックアップデータを当該記憶領域に保存したり当該記憶領域から読み出したりできるように管理する第１の管理装置と、
第２の情報記憶装置の記憶領域を複数の領域に分割してそれぞれを各加入者に割り当てるとともに、各加入者だけがその加入者に割り当てられた記憶領域にインターネット経由でアクセスし、情報機器で作成したデータやそのバックアップデータを当該記憶領域に保存したり当該記憶領域から読み出したりできるように管理する第２の管理装置と、
を備え、
第２の管理装置にインターネット経由でアクセスする際のアドレスは第１の管理装置にインターネット経由でアクセスする際のアドレスと同じであり、
第１の管理装置は、
第１の情報記憶装置の各記憶領域に記憶されているデータのバックアップデータを作成してこれを専用線を通して第２の管理装置に送信する機能と、インターネット及び第１の情報記憶装置と正常に交信できているかどうかを監視する機能と、第１の情報記憶装置が正常に働いているかどうかを監視する機能と、全て正常のとき、すなわちインターネット及び第１の情報記憶装置と正常に交信できていて、第１の情報記憶装置が正常に働いていて、且つ第１の情報記憶装置の各記憶領域に記憶されているデータのバックアップデータを作成してこれを専用線を通して第２の管理装置に送信する機能が正常に働いているときにその旨を示す正常検知信号を所定の周期で第２の管理装置へ送信する機能とを備え、何らかの異常が生じた場合、すなわちインターネットとの交信、第１の情報記憶装置との交信又は第１の情報記憶装置の働きに異常が生じた場合には第１の管理装置それ自体には異常がない場合でもインターネット経由でのアクセスの受け付けを停止し、
第２の管理装置は、
第１の管理装置から正常検知信号が所定の周期で送信されてきているかどうかを監視し、第１の管理装置から正常検知信号が所定の周期で送信されてきているときは、第１の管理装置から送られてくるバックアップデータを第２の情報記憶装置に保存し、第１の管理装置から正常検知信号が送信されて来なくなったら、第１の管理装置に代わってインターネット経由でのアクセスを受け付けるようになり、第２の情報記憶装置に保存されているバックアップデータの記憶領域に当該バックアップデータの元のデータを第１の情報記憶装置に保存した加入者だけがインターネットを経由してアクセスできるように管理する
ことを特徴とする情報貸金庫システム。
【請求項２】
前記情報機器は、インターネットに接続されており、当該機器上で作成中の文書のバックアップデータを、所定の時間毎あるいは上書き処理が実行される度毎に自動的に前記情報記憶装置に送信し保存する機能を有していることを特徴とする請求項１記載の情報貸金庫システム。
【請求項３】
前記情報記憶装置及び管理装置を飛行船に搭載したことを特徴とする請求項１又は２記載の情報貸金庫システム。
【請求項４】
前記飛行船に放送用またはデータ通信用の送受信装置を搭載したことを特徴とする請求項３記載の情報貸金庫システム。
【請求項５】
前記情報機器で作成したデータは、デジタル・スチル・カメラやデジタルＶＴＲで撮影した画像データであることを特徴とする請求項１〜４のいずれかに記載の情報貸金庫システム。
【請求項６】
前記情報機器で作成したデータは、デジタル・スチル・カメラやデジタルＶＴＲで撮影した画像データをアルバム編集したデータであることを特徴とする請求項１〜５のいずれかに記載の情報貸金庫システム。
【請求項７】
前記情報機器は通信機能を備えた或いは通信機器と接続できる携帯型の情報端末装置であることを特徴とする請求項１〜６のいずれかに記載の情報貸金庫システム。
【請求項８】
インターネットに接続された第１及び第２の情報記憶装置と、
第１の情報記憶装置の記憶領域を複数の領域に分割してそれぞれを各加入者に割り当てるとともに、各加入者だけがその加入者に割り当てられた記憶領域にインターネット経由でアクセスし、情報機器で作成したデータやそのバックアップデータを当該記憶領域に保存したり当該記憶領域から読み出したりできるように管理する第１の管理装置と、
第２の情報記憶装置の記憶領域を複数の領域に分割してそれぞれを各加入者に割り当てるとともに、各加入者だけがその加入者に割り当てられた記憶領域にインターネット経由でアクセスし、情報機器で作成したデータやそのバックアップデータを当該記憶領域に保存したり当該記憶領域から読み出したりできるように管理する第２の管理装置と、
を備え、
第２の管理装置にインターネット経由でアクセスする際のアドレスは第１の管理装置にインターネット経由でアクセスする際のアドレスと同じであり、
第１の管理装置は、第１の情報記憶装置の各記憶領域に記憶されているデータのバックアップデータを作成してこれを専用線を通して第２の管理装置に送信する機能と、インターネット及び第１の情報記憶装置と正常に交信できているかどうかを監視する機能と、第１の情報記憶装置が正常に働いているかどうかを監視する機能と、全て正常のとき、すなわちインターネット及び第１の情報記憶装置と正常に交信できていて、第１の情報記憶装置が正常に働いていて、且つ第１の情報記憶装置の各記憶領域に記憶されているデータのバックアップデータを作成してこれを専用線を通して第２の管理装置に送信する機能が正常に働いているときにその旨を示す正常検知信号を所定の周期で第２の管理装置へ送信する機能とを備え、何らかの異常が生じた場合、すなわちインターネットとの交信、第１の情報記憶装置との交信又は第１の情報記憶装置の働きに異常が生じた場合には第１の管理装置それ自体には異常がない場合でもインターネット経由でのアクセスの受け付けを停止する、情報貸金庫システムにおける第２の管理装置であって、
第１の管理装置から正常検知信号が所定の周期で送信されてきているかどうかを監視し、第１の管理装置から正常検知信号が所定の周期で送信されてきているときは、第１の管理装置から送られてくるバックアップデータを第２の情報記憶装置に保存し、第１の管理装置から正常検知信号が送信されて来なくなったら、第１の管理装置に代わってインターネット経由でのアクセスを受け付けるようになり、第２の情報記憶装置に保存されているバックアップデータの記憶領域に当該バックアップデータの元のデータを第１の情報記憶装置に保存した加入者だけがインターネットを経由してアクセスできるように管理すること特徴とする管理装置。
【請求項９】
前記情報機器は、インターネットに接続されており、当該機器上で作成中の文書のバックアップデータを、所定の時間毎あるいは上書き処理が実行される度毎に自動的に前記情報記憶装置に送信し保存する機能を有していることを特徴とする請求項８記載の管理装置。
【請求項１０】
インターネットに接続された第１及び第２の情報記憶装置と、
第１の情報記憶装置の記憶領域を複数の領域に分割してそれぞれを各加入者に割り当てるとともに、各加入者だけがその加入者に割り当てられた記憶領域にインターネット経由でアクセスし、情報機器で作成したデータやそのバックアップデータを当該記憶領域に保存したり当該記憶領域から読み出したりできるように管理する第１の管理装置と、
第２の情報記憶装置の記憶領域を複数の領域に分割してそれぞれを各加入者に割り当てるとともに、各加入者だけがその加入者に割り当てられた記憶領域にインターネット経由でアクセスし、情報機器で作成したデータやそのバックアップデータを当該記憶領域に保存したり当該記憶領域から読み出したりできるように管理する第２の管理装置と、
を備え、
第２の管理装置にインターネット経由でアクセスする際のアドレスは第１の管理装置にインターネット経由でアクセスする際のアドレスと同じであり、
第１の管理装置は、
第１の情報記憶装置の各記憶領域に記憶されているデータのバックアップデータを作成してこれを専用線を通して第２の管理装置に送信する機能と、インターネット及び第１の情報記憶装置と正常に交信できているかどうかを監視する機能と、第１の情報記憶装置が正常に働いているかどうかを監視する機能と、全て正常のとき、すなわちインターネット及び第１の情報記憶装置と正常に交信できていて、第１の情報記憶装置が正常に働いていて、且つ第１の情報記憶装置の各記憶領域に記憶されているデータのバックアップデータを作成してこれを専用線を通して第２の管理装置に送信する機能が正常に働いているときにその旨を示す正常検知信号を所定の周期で第２の管理装置へ送信する機能とを備え、何らかの異常が生じた場合、すなわちインターネットとの交信、第１の情報記憶装置との交信又は第１の情報記憶装置の働きに異常が生じた場合には第１の管理装置それ自体には異常がない場合でもインターネット経由でのアクセスの受け付けを停止し、
第２の管理装置は、
第１の管理装置から正常検知信号が所定の周期で送信されてきているかどうかを監視し、第１の管理装置から正常検知信号が所定の周期で送信されてきているときは、第１の管理装置から送られてくるバックアップデータを第２の情報記憶装置に保存し、第１の管理装置から正常検知信号が送信されて来なくなったら、インターネット経由でのアクセスを受け付けるようになり、第２の情報記憶装置に保存されているバックアップデータの記憶領域に当該バックアップデータの元のデータを第１の情報記憶装置に保存した加入者だけがインターネットを経由してアクセスできるように管理する、情報貸金庫システムにおける情報機器であって、
当該機器上で作成中の文書のバックアップデータを、所定の時間毎あるいは上書き処理が実行される度毎に自動的にインターネット経由で情報記憶装置に送信し保存する機能を有することを特徴とする情報機器。
【請求項１１】
通信機能を備えた或いは通信機器と接続できる携帯型の情報端末装置であることを特徴とする請求項１０記載の情報機器。
【請求項１２】
画像データのプリント・サービスあるいは保管サービスを提供するサービス提供会社、あるいはサービス提供会社の運営あるいは提携する各店が各加入者となり、客から預かった画像データを、請求項１〜７のいずれかに記載の情報貸金庫システムにおける情報記憶装置に保存することを特徴とする情報セキュリティシステム。
【請求項１３】
学校または学習塾が各加入者となり、生徒の成績データを、請求項１〜７のいずれかに記載の情報貸金庫システムにおける情報記憶装置に保存することを特徴とする情報セキュリティシステム。
【請求項１４】
請求項１〜７のいずれかに記載の情報貸金庫システムにおける第１の管理装置又は第２の管理装置をコンピュータを用いて実現するためのプログラムを記憶した記憶媒体。
【請求項１５】
請求項１０又は１１に記載の情報機器をコンピュータを用いて実現するためのプログラムを記憶した記憶媒体。
【発明の詳細な説明】
【０００１】
【発明の属する技術分野】
本発明は、大地震などの災害に備えてデータを保管する情報セキュリティシステムに関し、情報機器を使用して作成したデータを、あたかも銀行の貸金庫に書類などを保管するような感覚で、通信ネットワークを介して離れた場所にある情報記憶装置に保管しておき、必要なときに取り出せるようにした新規な情報セキュリティシステムである情報貸金庫システムに関するものである。
【０００２】
【従来の技術】
パーソナルコンピュータ（以下、ＰＣと記す。）などの情報機器を使用して文書作成作業や編集作業などを行う会社や事務所などにおいては、作成したデータをハードディスク、フロッピーディスク、光ディスクなどの記憶媒体に保存しておくことにより、後で必要なときにデータを記憶媒体から読み出して使用できるようにしている。
そして、火事などの災害に備えて、業務上の重要なデータを保存した記憶媒体をオフィス内の耐火金庫に保管したり、業務上の重要なデータやそのバックアップデータを保存した記憶媒体をオフィスとは別の場所にある倉庫などに保管するようにしている。
【０００３】
【発明が解決しようとする課題】
しかし、データを保存したフロッピーディスクや光ディスク等の記憶媒体を耐火金庫に保管したとしても、大地震等の大災害が発生してオフィスの建物ごと耐火金庫が損壊したり、火災による熱で耐久温度以上に耐火金庫が熱せられたりした場合には、耐火金庫に保管した記憶媒体の記録データが消失せずに残っているという保証はない。
また、バックアップデータなどを保存した記憶媒体をオフィスとは別の場所にある倉庫などに保管したとしても、通常このような倉庫はオフィスの近所に借りているケースが多いため、大地震が発生したときにはオフィスのある建物と倉庫が同時に被災することになり、元のデータもそのバックアップデータも共に消失してしまう。
このような事態を避けるためには、オフィスから遠く離れた場所にある倉庫にバックアップデータを保存した記憶媒体を保管しておけばよいが、倉庫の場所がオフィスからあまりにも離れていると、記憶媒体を倉庫まで運んだり、バックアップデータが必要になったときに記憶媒体を倉庫までとりに行ったりするのに多大な労力を要することになる。
【０００４】
また、ＰＣなどの情報機器は家庭にも普及しており、大地震や火災などを被災すると、ＰＣなどで作成したデータを保存した記憶媒体が家屋もろとも消失してしまう危険性がある。最近、デジタル・スチル・カメラやデジタルＶＴＲで撮影した画像データをＰＣ上で処理して記録媒体に保存しておくことが簡単に行えようになったことに伴い、家族の日常や子供の成長過程などを撮影した画像データをアルバム編集して保存しておくケースが増えており、このような家族の思い出を記録したアルバムのデータを失うことは、その家族にとって家屋や家財道具などを失うことと同等あるいはそれ以上に悲しいことである。
【０００５】
本発明は上記のような事情の下に創案されたものであり、その解決すべき課題は、ＰＣなどの情報機器で作成したデータあるいはそのバックアップデータを、インターネットやパソコン通信サービス機関などの通信ネットを利用して離れた場所にある情報記憶装置に記憶させておくことにより、地震や火災などの災害によって大切なデータが消失してしまうのを防止できる情報貸金庫システムを提供することにある。
【０００６】
【課題を解決するための手段】
上記課題を解決するために、請求項１に記載の情報貸金庫システムは、インターネットやパソコン通信ネットなどの通信ネットワークに接続された書込み読み出しが可能な大容量のメモリ空間を有する情報記憶装置（以下、これを情報貸金庫と呼ぶ。）を保有しており、この情報貸金庫の記憶領域を複数の領域に分割してそれぞれを各加入者に割り当てるとともに、各加入者あるいはその加入者の許可を得た者だけがその加入者に割り当てられた記憶領域に前記通信ネットワークを経由してアクセスできるように管理する管理装置を備えて構成したことを特徴としている。
【０００７】
また、請求項２に記載の情報貸金庫システムは、インターネットやパソコン通信ネットなどの通信ネットワークに接続された第１及び第２の大容量のメモリ空間を有する情報貸金庫を保有しており、第１の情報記憶装置の記憶領域を複数の領域に分割してそれぞれを各加入者に割り当てるとともに、各加入者あるいはその加入者の許可を得た者だけがその加入者に割り当てられた記憶領域に前記通信ネットワークを経由してアクセスできるよう管理し、且つ各記憶領域に記憶されているデータのバックアップデータを作成してこれを第１の情報貸金庫とは別の場所に設置された第２の情報貸金庫に保存する管理装置を備えて構成したことを特徴としている。
また、請求項３に記載の情報貸金庫システムは、請求項２に記載のシステム構成を前提にして、前記通信ネットワークと第１の情報貸金庫とを結ぶ通信ラインや管理装置に異常が生じたり、第１の情報貸金庫に異常が生じたりした場合、第２の情報貸金庫に保存されているバックアップデータの記憶領域に当該バックアップデータの元のデータを第１の情報貸金庫に保存した加入者あるいはその加入者の許可を得た者だけが通信ネットワークを経由してアクセスできるように構成したことを特徴としている。
【０００８】
上記のように構成したことにより、請求項１に記載の情報貸金庫システムでは、各加入者は通信ネットワーク経由で情報貸金庫の自分に割り当てられた記憶領域に自由にアクセスして、ＰＣなどの情報機器で作成したデータやそのバックアップデータを当該記憶領域に保存したり読み出したりできる。そして、地震や火事などの災害により加入者のオフィスや家に保管していた記憶媒体のデータが消失しても、オフィスや家などの情報機器が回復した後などに、通信ネットワーク経由で情報貸金庫にアクセスして保存しておいたデータを読み出すことができる。
【０００９】
また、請求項２に記載の情報貸金庫システムでは、各加入者は通信ネットワーク経由で第１の情報貸金庫の自分に割り当てられた記憶領域に自由にアクセスして、ＰＣなどの情報機器で作成したデータやそのバックアップデータを当該記憶領域に保存したり読み出したりできる。そして、地震や火事などの災害により加入者のオフィスや家に保管していた記憶媒体のデータが消失しても、オフィスや家などの情報機器が回復した後などに、通信ネットワーク経由で第１の情報記憶装置にアクセスして保存しておいたデータを読み出すことができる。また、万一、第１の情報貸金庫が大地震などによって破壊されたり焼失したりしても、第１の情報貸金庫の各記憶領域に記憶されていたデータのバックアップデータが第１の情報貸金庫とは別の場所に設置された第２の情報貸金庫に保存されているので、各加入者の大切なデータが失われることはない。
また、請求項３に記載の情報貸金庫システムでは、通信ネットワークと第１の情報貸金庫とを結ぶ通信ラインに断線などの異常が生じたり、第１の情報貸金庫が何らかの原因で機能停止したりしても、各加入者は通信ネットワーク経由で第２の情報貸金庫に保存されている自分のデータのバックアップデータの記憶領域に自由にアクセスして保存されているデータを読み出したり、新たに作成したデータやそのバックアップデータなどを当該記憶領域に保存したり読み出したりすることができる。
【００１０】
上記請求項２または３に記載の情報貸金庫システムにおいて、第１の情報貸金庫と第２の情報貸金庫は、互いに地震帯の異なる場所あるいは互いに海を隔てた場所に設置しておくことが望ましい。さらに第３、第４、あるいはそれ以上の情報貸金庫を保有し、第１の情報貸金庫や第２の情報貸金庫などに保存されたデータのバックアップデータをこれら第３、第４、あるいはそれ以上の情報貸金庫に分担させて保存しておくことが望ましい。
また、請求項１〜３に記載の情報貸金庫システムにおいて、情報貸金庫をそれぞれ複数台の記憶装置で構成してもよい。そして、情報貸金庫を構成する記憶装置を１台あるいは複数台づつ各加入者に割り当てたり、各記憶装置の記憶領域を複数に分割して１領域づつあるいは契約領域数や契約容量数に応じて複数領域づつ各加入者に割り当てるようにしてもよい。
【００１１】
また、請求項１〜３に記載の情報貸金庫システムにおいて、通信ネットワーク経由での情報貸金庫へのアクセスを加入者だけに制限する管理装置は、アクセスしてきた者に対し、情報貸金庫システムの運営側が各加入者に個別に付与した識別番号及び各加入者が任意に設定した暗証番号の入力を要求し、識別番号と暗証番号の両方が運営側に登録されているものと完全に一致した場合のみ、そのアクセスしてきた者が加入者であると判断し、その加入者だけが情報貸金庫内のその加入者に割り当てられた記憶領域にアクセスできるようにすることが望ましい。識別番号と暗証番号のどちらか一方だけを照合するようにしてもよいが、そうすると、加入者でない者が偶然或いは故意に、登録されている識別番号または暗証番号と一致する番号を入力し、加入者でない者に対して管理装置のゲートが開いてしまう可能性が高くなる。
なお、情報貸金庫にはＨＤＤ等の磁気記録装置の他、光ディスク装置や、ホログラムを利用して空間に情報を蓄える装置等が使用できる。
【００１２】
【発明の実施の形態】
以下、本発明の実施の形態について説明する。
【００１３】
[ 請求項１に対応する実施の形態]
図１は本発明の情報貸金庫システムの実施の形態の一例を示すシステム構成図である。
図中、１はインターネット、２は情報貸金庫システムの運営会社が保有している情報貸金庫であり、情報貸金庫は上記運営会社が管理運営する管理装置３を介してインターネット１に接続されている。また、４-1、４-2、４-3、・・・は上記運営会社との間で情報貸金庫システムのサービス提供を受ける契約を交わした各加入者の所有するＰＣであり、各ＰＣ４-1、４-2、４-3、・・・は、各加入者が別途任意に契約したプロバイダの中継装置５を介してインターネット１に接続されている。インターネット１と管理装置３とを結ぶ通信ライン６、管理装置３と情報貸金庫２とを結ぶ通信ライン７、及びインターネット１とプロバイダの中継装置５とを結ぶ通信ライン８には、それぞれデータ通信専用線が使用されている。また、プロバイダの中継装置５と各ＰＣ４-1、４-2、４-3、・・・は公衆回線９で接続されている。
【００１４】
各加入者には、情報貸金庫システムの運営会社からそれぞれ固有の識別番号が与えられている。また、情報貸金庫システムへの加入契約の際、各加入者は任意の暗証番号を運営会社に登録している。識別番号及び暗証番号は、例えば４桁、８桁などの数、あるいは数字及びアルファベットを含む記号列からなる。識別番号及び暗証番号は、銀行の貸金庫における鍵に相当するものであり、各加入者本人にしか知らされない。
管理装置３は、情報貸金庫システムの運営会社と契約した加入者だけが情報貸金庫２にアクセスできるように管理するための装置であり、情報貸金庫システムの運営会社の管理責任者以外の者はインターネット１を経由しなければこの管理装置３にアクセスできないようになっている。
【００１５】
図２に管理装置３の動作フローを示す。図示するように、管理装置３は、インターネット１を経由してアクセスしてきた者に対し、識別番号の入力を要求する（Ｓ１）。このときアクセスしてきた側のＰＣのディスプレイには例えば図３に示すような画面が表示されている。そして、識別番号が入力されたら（Ｓ２でＹｅｓ）、管理装置３内のメモリに登録されている識別番号群を検索し（Ｓ３）、入力された識別番号と完全に一致する識別番号が登録されているかどうかを調べる（Ｓ４）。その結果、一致する識別番号が登録されていたら（Ｓ４でＹｅｓ）、その識別番号と対応する加入者の暗証番号情報を管理装置３内のメモリから読み出し（Ｓ５）、その加入者に対し今度は暗証番号の入力を要求する（Ｓ６）。このときアクセスしてきた側のＰＣのディスプレイには例えば図４に示すような画面が表示されている。そして、暗証番号が入力されたら（Ｓ７でＹｅｓ）、Ｓ５で読み出した暗証番号と照合し（Ｓ８）、両者が完全に一致していたら（Ｓ８でＹｅｓ）、アクセスしてきた者が加入者であると判断し、その加入者に割り当てられている記憶領域情報を管理装置３内のメモリから読み出し（Ｓ９）、その記憶領域情報に基づいて、情報貸金庫２内の所定の領域、すなわちその加入者に割り当てられている記憶領域にその加入者だけがアクセスできるようにゲートを開放する（Ｓ１０）。ゲートが開放された加入者は、情報貸金庫２内の自分に割り当てられている記憶領域に自由にアクセスして、データを書き込んだり、読み出したり、消去したりすることができる。そして、管理装置３は、ゲート開放中の加入者からゲート閉じるよう指示があったり（Ｓ１１でＹｅｓ）、その加入者との交信が終了したりすると（Ｓ１２でＹｅｓ）、ゲートを閉じる（Ｓ１３）。
【００１６】
上記のように構成したことにより、各加入者はＰＣ４-1、４-2、４-3、・・・などからインターネット１を経由して情報貸金庫２の自分に割り当てられた記憶領域に自由にアクセスして、ＰＣなどの情報機器で作成したデータやそのバックアップデータを当該記憶領域に保存したり読み出したりすることができる。また、万一地震や火事などの災害により、加入者のオフィスや家に設置していたハードディスクや、保管してあったフロッピーディスク、光ディスクなどの記憶媒体のデータが消失しても、オフィスや家などの情報機器が回復した後などに、インターネット１を経由して管理装置３にアクセスすることにより、情報貸金庫２内の割り当てられた記憶領域にアクセスして、保存しておいたデータを読み出すことができる。
また、通信機能を備えた或いは通信機器と接続できる携帯型の情報端末装置を使用すれば、任意の場所からインターネット１経由で管理装置３にアクセスすることができるので、各加入者は地球上のどこからでも情報貸金庫２に保存しておいたデータを読み出したり書き込んだりすることが可能である。
【００１７】
[ 請求項２、３に対応する実施の形態]
図５は本発明の情報貸金庫システムの別の実施の形態を示すシステム構成図である。
図中、１はインターネット、２-1、２-2は情報貸金庫システムの運営会社が保有している第１、第２の情報貸金庫であり、第１、第２の情報貸金庫２-1、２-2は上記運営会社が管理運営する第１、第２の管理装置３-1、３-2を介してそれぞれインターネット１に接続されている。また、４-1、４-2、４-3、・・・は上記運営会社との間で情報貸金庫システムのサービス提供を受ける契約を交わした各加入者の所有するＰＣであり、各ＰＣ４-1、４-2、４-3、・・・は、各加入者が別途任意に契約したプロバイダの中継装置５を介してインターネット１に接続されている。また、第１の管理装置３-1と第２の管理装置３-2との間も通信ライン１０で接続されている。
インターネット１と各管理装置３-1、３-2とを結ぶ通信ライン６-1、６-2、第１の情報貸金庫２-1と管理装置３-1とを結ぶ通信ライン７-1、第２の情報貸金庫２-2と管理装置３-2とを結ぶ通信ライン７-2、インターネット１とプロバイダの中継装置５とを結ぶ通信ライン８、及び第１の管理装置３-1と第２の管理装置３-2とを結ぶ通信ライン１０には、それぞれデータ通信専用線が使用されている。また、プロバイダの中継装置５と各ＰＣ４-1、４-2、４-3、・・・は公衆回線９で接続されている。
【００１７】
各加入者には、情報貸金庫システムの運営会社からそれぞれ固有の識別番号が与えられている。また、情報貸金庫システムへの加入契約の際、各加入者は任意の暗証番号を運営会社に登録している。識別番号及び暗証番号は、例えば４桁、８桁などの数、あるいは数字及びアルファベットを含む記号列からなる。識別番号及び暗証番号は、銀行の貸金庫における鍵に相当するものであり、各加入者本人にしか知らされない。
第１管理装置３-1は、情報貸金庫システムの運営会社と契約した加入者だけが第１の情報貸金庫２-1にアクセスできるように管理するための装置であり、情報貸金庫システムの運営会社の管理責任者以外の者はインターネット１を経由しなければこの第１管理装置３-1にアクセスできないようになっている。
また、第１の管理装置３-1は、第１の情報貸金庫２-1の各記憶領域に記憶されているデータのバックアップデータＢＤを作成し、それを通信ライン１０を使用して第２の管理装置３-2へ伝送する機能を有している。さらに第１の管理装置３-1は、インターネット１及び第１の情報貸金庫２-1と正常に交信できているかどうかを常時監視する機能、第１の情報貸金庫２-1が正常に働いているかどうかを常時監視する機能、及び第１の管理装置３-1自身が正常に働いているかどうかを常時監視する機能を有し、全て正常のときにその旨を示す正常検知信号Ｓを所定の周期で第２の管理装置３-2へ送信する。
【００１８】
第２の管理装置３-2は、情報貸金庫システムの運営会社と契約した加入者だけが第２の情報貸金庫２-2にアクセスできるように管理するための装置であり、情報貸金庫システムの運営会社の管理責任者以外の者はインターネット１を経由しなければこの第２の管理装置３-2にアクセスできないようになっている。
ただし、第２の管理装置３-2は、インターネット１と第１の管理装置３-1とを結ぶ通信ライン６-1や、第１の管理装置３-1と第１の情報貸金庫２-1とを結ぶ通信ライン７-1に断線などの異常が生じたり、第１の情報貸金庫２-1や第１の管理装置３-1に異常が生じたりした場合など、非常時にのみインターネット１経由でのアクセスを受け付けるものであり、平常時においては、すなわち図５（ａ）に示すように、第１の管理装置３-1から所定の周期で正常検知信号Ｓが送られてきているときには、第１の管理装置３-1から送られてくるバックアップデータを第２の情報貸金庫２-2に保存する動作だけを行う。
そして、第２の管理装置３-2は、異常時においては、すなわち図５（ｂ）に示すように、第１の管理装置３-1から正常検知信号Ｓが送られて来なくなったときには、インターネット１経由でのアクセスを受け付けるようになり、第２の情報貸金庫２-2に保存されているバックアップデータの記憶領域に当該バックアップデータの元のデータを第１の情報貸金庫２-1に保存した加入者だけがインターネット１を経由してアクセスできるように管理する。このときの第２の管理装置３-2のアドレス（ＵＲＬ）は第１の管理装置３-1のそれと同じである。
【００１９】
図６に第１の管理装置３-1の動作フローを示す。図示するように、第１の管理装置３-1は、通信ライン６-1、７-1や第１の情報貸金庫２-1、さらには第１の管理装置３-1自身が全て正常に機能しているか否かを常時監視し（Ｓ２１）、全て正常であれば（Ｓ２１でＮｏ）、正常検知信号Ｓを所定の周期で第２の管理装置３-2へ送信しつつ（Ｓ２２）、インターネット１経由でのアクセスを受け付ける。そして、インターネット１経由でアクセスしてきた者に対し、識別番号の入力を要求する（Ｓ２３）。このときアクセスしてきた側のＰＣのディスプレイには例えば図３に示すような画面が表示されている。そして、識別番号が入力されたら（Ｓ２４でＹｅｓ）、第１の管理装置３-1内のメモリに登録されている識別番号群を検索し（Ｓ２５）、入力された識別番号と完全に一致する識別番号が登録されているかどうかを調べる（Ｓ２６）。その結果、一致する識別番号が登録されていたら（Ｓ２６でＹｅｓ）、その識別番号と対応する加入者の暗証番号情報を第１の管理装置３-1内のメモリから読み出し（Ｓ２７）、その加入者に対し今度は暗証番号の入力を要求する（Ｓ２８）。このアクセスしてきた側のＰＣのディスプレイには例えば図４に示すような画面が表示されている。そして、暗証番号が入力されたら（Ｓ２９でＹｅｓ）、Ｓ２７で読み出した暗証番号と照合し（Ｓ３０）、両者が完全に一致していたら（Ｓ３０でＹｅｓ）、アクセスしてきた者が加入者であると判断し、その加入者に割り当てられている記憶領域情報を第１の管理装置３-1内のメモリから読み出し（Ｓ３１）、その記憶領域情報に基づいて、第１の情報貸金庫２-1内の所定の領域、すなわちその加入者に割り当てられている記憶領域にその加入者だけがアクセスできるようにゲートを開放する（Ｓ３２）。ゲートが開放された加入者は、第１の情報貸金庫２-1内の自分に割り当てられている記憶領域に自由にアクセスして、データを書き込んだり、読み出したり、消去したりすることができる。そして、第１の管理装置３-1は、ゲート開放中の加入者からゲート閉じるよう指示があったり（Ｓ３３でＹｅｓ）、その加入者との交信が終了したりすると（Ｓ３４でＹｅｓ）、ゲートを閉じる（Ｓ３５）。
【００２０】
上記のように、第１の管理装置３-1は、通信ライン６-1、７-1や第１の情報貸金庫２-1、さらには第１の管理装置３-1自身が全て正常に機能しているときには、
図１に示した情報貸金庫システムと全く同じ動作すなわち図２に示した動作を行い、その間所定の周期で正常検知信号Ｓを第２の管理装置３-2へ送信する。そして、何らかの理由で通信ライン６-1、７-1、第１の情報貸金庫２-1、及び第１の管理装置３-1のうちのどれか１つにでも異常が生じた場合（Ｓ２１でＹｅｓ）、正常検知信号の送信を停止するとともに（Ｓ３６）、機能を停止する（Ｓ３７）。すなわち第１の管理装置３-1は、第１の管理装置３-1それ自体には何も異常がない場合でも、通信ライン６-1、７-1や第１の情報貸金庫２-1のどれかに異常が生じた場合には機能を停止する。
【００２１】
図７に第２の管理装置３-2の動作フローを示す。図示するように、第２の管理装置３-2は、第１の管理装置３-1から送信されてくる正常検知信号を受信し、正常検知信号が所定の周期で送信されてきているかどうかを常時監視している（Ｓ４１）。
そして、正常検知信号が所定の周期で送信されてきているときには（Ｓ４１でＹｅｓ）、正常検知信号の受信検知をそのまま継続しその他の機能は停止状態に保つ。すなわち、第２の管理装置３-2は、第１の管理装置３-1側が全て正常に働いているときには、本来の管理装置としての機能を停止し、正常検知信号の受信及び受信検知だけを行っている。  そして、正常検知信号の受信が途絶えたら（Ｓ４１でＹｅｓ）、第１の管理装置３-1側に何らかの異常が生じたと判断し、インターネット１経由でのアクセスを受け付けるようになる（Ｓ４２）。第２の管理装置３-2のアドレス（ＵＲＬ）は第１の管理装置３-1のそれと同じなので、第１の管理装置３-1側が機能停止した状態においては、第２の管理装置３-2が第１の管理装置３-1に代わってアクセスを受け付けるのである。したがって、このときアクセスして来る側から見れば、第１の管理装置３-1側が機能停止してもそれまでと何等変わらず、第１の管理装置３-1のアドレスとしてＰＣなどに登録してあるアドレスにアクセスすれば自動的に第２の管理装置３-2にアクセスすることになる。
【００２２】
第２の管理装置３-2は、インターネット１経由でアクセスしてきた者に対し、識別番号の入力を要求する（Ｓ４３）。このときアクセスしてきた側のＰＣのディスプレイには例えば図８に示すような画面が表示されている。この画面には、第２の管理装置３-2にアクセス中である旨を知らせるために、例えば“第２金庫にアクセス中”といったメッセージが点滅表示されている。そして、識別番号が入力されたら（Ｓ４４でＹｅｓ）、第２の管理装置３-2内のメモリに登録されている識別番号群を検索し（Ｓ４５）、入力された識別番号と完全に一致する識別番号が登録されているかどうかを調べる（Ｓ４６）。その結果、一致する識別番号が登録されていたら（Ｓ４６でＹｅｓ）、その識別番号と対応する加入者の暗証番号情報を第２の管理装置３-2内のメモリから読み出し（Ｓ４７）、その加入者に対し今度は暗証番号の入力を要求する（Ｓ４８）。このときアクセスしてきた側のＰＣのディスプレイには例えば図９に示すような画面が表示されている。そして、暗証番号が入力されたら（Ｓ４９でＹｅｓ）、Ｓ４７で読み出した暗証番号と照合し（Ｓ５０）、両者が完全に一致していたら（Ｓ５０でＹｅｓ）、アクセスしてきた者が加入者であると判断し、その加入者に割り当てられている記憶領域情報を第２の管理装置３-2内のメモリから読み出し（Ｓ５１）、その記憶領域情報に基づいて、第２の情報貸金庫２-2内の所定の領域、すなわちその加入者が第１の情報貸金庫２-1に保存したデータのバックアップデータが保存されている記憶領域にその加入者だけがアクセスできるようにゲートを開放する（Ｓ５２）。ゲートが開放された加入者は、第２の情報貸金庫２-2内の自分に割り当てられている記憶領域に自由にアクセスして、データを書き込んだり、読み出したり、消去したりすることができる。そして、第２の管理装置３-2は、ゲート開放中の加入者からゲート閉じるよう指示があったり（Ｓ５３でＹｅｓ）、その加入者との交信が終了したりすると（Ｓ５４でＹｅｓ）、当該ゲートを閉じる（Ｓ５５）。
【００２３】
上記のように構成したことにより、平常時においては、各加入者はＰＣ４-1、４-2、４-3、・・・などからインターネット１を経由して第１の情報貸金庫２-1の自分に割り当てられた記憶領域に自由にアクセスして、ＰＣなどの情報機器で作成したデータやそのバックアップデータを当該記憶領域に保存したり読み出したりすることができ、万一地震や火事などの災害により、加入者のオフィスや家に設置していたハードディスクや、保管してあったフロッピーディスク、光ディスクなどの記憶媒体のデータが消失しても、オフィスや家などの情報機器が回復した後などに、インターネット１を経由して第１の管理装置３-1にアクセスすることにより、第１の情報貸金庫２-1の割り当てられた記憶領域にアクセスして、そこに保存しておいたデータを読み出すことができる。
また、万一、大地震などが発生して第１の情報貸金庫２-1が破壊されたとしても、第１の情報貸金庫２-1の各記憶領域に記憶されていたデータのバックアップデータが第１の情報貸金庫２-1とは別の場所に設置された第２の情報貸金庫２-2に保存されているので、各加入者の大切なデータが失われることはない。
また、万一、第１の管理装置３-1が被災して正常に機能しなくなったり、通信ライン６-1、７-1が断線して通信不能になったりしても、各加入者は平常時と同じ操作によりインターネット１経由で第２の情報貸金庫２-2に保存されている自分のデータのバックアップデータの記憶領域に自由にアクセスして、そこに保存されているデータを読み出したり、新たに作成したデータやそのバックアップデータなどを当該記憶領域に保存したり読み出したりすることができる。
【００２４】
また、通信機能を備えた或いは通信機器と接続できる携帯型の情報端末装置を使用すれば、任意の場所からインターネット１経由で第１及び第２の管理装置３-1、３-2にアクセスすることができるので、平常時非常時に関係なく、地球上のどこからでも第１の情報貸金庫２-1に保存しておいたデータを読み出したり書き込んだりすることが可能である。
【００２５】
上記の情報貸金庫システムにおいて、第１の情報貸金庫２-1及び管理装置３-1と第２の情報貸金庫２-2及び管理装置３-2は、互いに地震帯の異なる場所に設置しておくことが望ましい。例えば、第１の情報貸金庫２-1及び管理装置３-1は東京都に設置し、第２の情報貸金庫２-2及び管理装置３-2は山口県や青森県に設置しておけば、東京都と山口県に同時に大地震が発生したり、東京都と青森県に同時に大地震が発生する確率は極小さいので、どこかの地域に大地震が発生しても情報貸金庫システムの機能が完全に停止してしまうことは避けられる。
【００２６】
また、第１の情報貸金庫２-1及び管理装置３-1と第２の情報貸金庫２-2及び管理装置３-2は、互いに海を隔てた場所に設置しておくことが望ましい。例えば、第１の情報貸金庫２-1及び管理装置３-1は本州に設置し、第２の情報貸金庫２-2及び管理装置３-2は北海道や九州、四国などに設置しておけば、本州と北海道、九州などに同時に大地震が発生する確率は極小さいので、どこかの地域に大地震が発生しても情報貸金庫システムの機能が完全に停止してしまうことは避けられる。また、例えば、第１の情報貸金庫２-1及び管理装置３-1は日本に設置し、第２の情報貸金庫２-2及び管理装置３-2はアメリカ大陸、ユーラシア大陸、オーストラリア大陸、アフリカ大陸、南極大陸などに設置するようにしてもよい。
【００２７】
また、さらに第３、第４、あるいはそれ以上の情報貸金庫及び管理装置を保有し、第１の情報貸金庫２-1や第２の情報貸金庫２-2などに保存されたデータのバックアップデータをこれら第３、第４、あるいはそれ以上の情報貸金庫に分担させて保存しておくことが望ましい。
【００２８】
また、この実施の形態では、平常時に第１の管理装置３-1から第２の管理装置３-2に正常検知信号を送信するようにしているが、第１の管理装置３-1は正常検知信号を送信せず、第２の管理装置３-2が第１の管理装置３-1や第１の情報貸金庫２-1が正常に機能しているかどうかを常時監視し、異常が発生したらインターネット１経由でのアクセス受け付け（Ｓ４２）を開始するようにしてもよい。
【００２９】
また、図５（ｂ）に示すように、インターネット１と第１の管理装置３-1とを結ぶ通信ライン６-1が断線しただけでその他は正常の場合、各加入者が第１の管理装置３-1及び第２の管理装置３-2を経由して第１の情報貸金庫２-1にアクセスできるようにしてもよい。
【００３０】
また、図１及び図５においては、各情報貸金庫２、２-1、２-2がそれぞれ１台の記憶装置で構成されているように示されているが、各情報貸金庫２、２-1、２-2をそれぞれ複数台の記憶装置で構成してもよい。そして、情報貸金庫を構成する記憶装置を１台あるいは複数台づつ各加入者に割り当てたり、各記憶装置の記憶領域を複数に分割して１領域づつあるいは契約領域数や契約容量数に応じて複数領域づつ各加入者に割り当てるようにしてもよい。各加入者は個人でも法人でも法律事務所や特許事務所などでもよい。
【００３１】
また、図１及び図５においては、各加入者がプロバイダの中継装置５を経由してインターネット１に接続する構成を例示したが、各加入者がデータ通信専用線でインターネット１に接続されていてもよい。また、各加入者が社内ＬＡＮ等を構築し、ＬＡＮ上の複数のＰＣなどからインターネット１経由で情報貸金庫２、２-1、２-2にアクセスできるようにしてもよい。
【００３２】
また、図２、図６、図７に示した動作フロー中の識別番号要求（Ｓ１、Ｓ２３、４３）や暗証番号要求（Ｓ６、Ｓ２８、Ｓ４８）に対する加入者側における入力処理は、各加入者の所有するＰＣに格納されている情報貸金庫アプリケーションソフトが自動的に行うようにしてもよい。この自動入力機能を使用すれば、各加入者は、管理装置３、３-1、３-2にアクセスする操作を行うだけで、情報貸金庫２、２-1、２-2内の自分に割り当てられた記憶領域にすぐにアクセスしてそこからデータを読み出したり書き込んだりすることができる。
【００３３】
また、上記ＰＣに格納されている情報貸金庫アプリケーションソフトは、そのＰＣ上で作成中の文書のバックアップデータを、設定された所定の時間毎や、文書の上書き処理などの特定の処理が実行される度毎に自動的に情報貸金庫に送信し保存する機能を有していることが望ましい。この自動保存機能を使用すれば、文書の作成や編集などを行っている各加入者がいちいちバックアップデータを情報貸金庫に送信し保存する操作を行う手間を省くことができるので作業能率を高めることができる。
【００３４】
また、図２、図６、図７に示した動作フローでは、識別番号及び暗証番号の入力要求を行っているが、識別番号と暗証番号のどちらか一方の入力要求処理、及びこれに付随する入力確認処理、照合処理は省略してもよい。
【００３５】
また、この実施の形態では、インターネット１と第１の情報貸金庫２-1及び管理装置３-1とを相互通信可能に接続する通信媒体、及び第２の情報貸金庫２-2及び管理装置３-2とを相互通信可能に接続する通信媒体として通信ラインを使用して有線通信によりデータ伝送を行っているが、無線通信でデータ伝送を行うようにシステムを構成してもよい。つまり、各加入者はインターネット１経由で情報貸金庫サービスの提供会社の所有する設備にアクセスしてくるが、サービス提供会社側における各部間のデータ伝送方式は有線方式でも無線方式でもよいのである。したがって、例えば、第１の情報貸金庫２-1及び管理装置３-1、または第２の情報貸金庫２-2及び管理装置３-2を飛行船に搭載し、その飛行船をオゾン層内に浮かべてもよい。オゾン層内は無風状態に近いので、ほぼ定位置に飛行船を静止させて地上との間でデータ伝送を行うことができる。その場合、飛行船の推進機関として、オゾン破壊物質を除去する機能を備えたものを使用することが望ましい。また、この飛行船に情報貸金庫システム用の装置の他に、例えば、放送用やデータ通信用の送受信装置も一緒に搭載すれば、人工衛星に代わる通信中継手段としても使用できる。人工衛星の場合、これを地上から大気圏外の軌道上に移送する手段としてロケットやスペースシャトルなどを使用するため膨大な費用がかかり、ロケットの打ち上げに失敗することもあるが、飛行船の場合、浮力によって自然に上昇するのでロケット等を使用した場合と比べて格段に費用を少なくでき、しかも浮力調整によって容易に且つ確実にオゾン層まで上昇させることができる。
【００３６】
また、例えば、第１の情報貸金庫２-1及び管理装置３-1は地球上のどこかに設置し、第２の情報貸金庫２-2及び管理装置３-2は月や火星に設置してもよい。
【００３７】
[ その他の実施の形態１]
最近、デジタル・スチル・カメラやデジタルＶＴＲで撮影した画像データや、ＰＣ上で作成した画像データをプリントするサービスが開始された。
しかし、画像データのプリント・サービスだけでなく、客の持ち込んだＦＤ、ＭＯ、ＣＤ−Ｒなどの記憶媒体に記録された画像データや、通信によって客から送られてきた画像データを、管理番号などを付けて店側で保存管理し、客から依頼されたときに、保存管理しているデータの中から客の指定した管理番号の画像データを読み出してプリントするサービスの提供はまだ始まっていない。このようなサービスを提供する側においては、客から預かった大切な画像データを地震や火事などの災害から守らなければならないが、そのような情報セキュリティシステムが実現されていなかったからある。
【００３８】
そこで、本発明の情報貸金庫システムは、上記のような画像データ保管サービスを実現する上で必要となる情報セキュリティシステムをも実現する。
すなわち、本発明の情報貸金庫システムによれば、画像データのプリント・サービスあるいは保管サービスを提供するサービス提供会社、あるいはサービス提供会社の運営あるいは提携する各店（写真店、コンビニエンスストア）が情報貸金庫システムの各加入者となり、客から預かった画像データを情報貸金庫２または２-1に保存しておくことにより、万一地震や火事などによって、上記サービス提供会社の店やデータ保管センタに保管しておいたデータが消失しても、情報貸金庫２、２-1または２-2に保存されているので、客から預かった画像データが失われることがない。
なお、本発明者は上記のような画像データ保管サービスを“岸辺のアルバム・サービス”と呼ぶものである。
【００３９】
[ その他の実施の形態２]
学校や学習塾などにおいては、生徒や塾生（以下、生徒等という。）の成績のデータを少なくともその生徒の在籍中は保管しておく必要があるため、生徒等の成績のデータを火事などの災害に備えて安全に保管するシステムが求められ
る。
【００４０】
本発明の情報貸金庫システムは、上記のような生徒等の成績のデータを安全に保管できる情報セキュリティシステムをも実現する。
すなわち、本発明の情報貸金庫システムによれば、学校や学習塾などが情報貸金庫システムの各加入者となり、生徒等の成績のデータを情報貸金庫２または２-1に保存しておくことにより、万一地震や火事などによって、上記学校や学習塾に保管しておいたデータが消失しても、情報貸金庫２、２-1または２-2に保存されているので、生徒等の成績のデータが失われることがない。
【００４１】
ちなみに銀行や保険会社などにおいては、顧客の預金データなどが災害時などにおいても消失しないように、自社独自或いは同業者と協同で情報管理システムを構成し、預金データなどをデータを各地に分散配置して保管するようにしているが、これは一般の個人や画像データのプリント・サービス会社や学校や学習塾などがインターネット経由で簡単にアクセスできるような代物ではなく、システム内部を専用線で相互接続し、且つ各ゲートウェイに厳重なファイアウォールなどを設けて外部からの進入を遮断している。また、ユーザのＰＣと銀行などとを電話回線で結んだホーム・バンキング・サービスも実施されているが、ユーザが画像データなどを自由に書き込んだり読み出したりできるものではない。
【００４２】
【発明の効果】
以上説明したように、本発明は以下のような優れた効果を奏する。
請求項１に記載の情報貸金庫システムでは、各加入者は通信ネットワーク経由で情報貸金庫の自分に割り当てられた記憶領域に自由にアクセスして、ＰＣなどの情報機器で作成したデータやそのバックアップデータを当該記憶領域に保存したり読み出したりできる。そして、地震や火事などの災害により加入者のオフィスや家に保管していた記憶媒体のデータが消失しても、オフィスや家などの情報機器が回復した後などに、通信ネットワーク経由で情報貸金庫にアクセスして保存しておいたデータを読み出すことができる。
【００４３】
また、請求項２に記載の情報貸金庫システムでは、各加入者は通信ネットワーク経由で第１の情報貸金庫の自分に割り当てられた記憶領域に自由にアクセスして、ＰＣなどの情報機器で作成したデータやそのバックアップデータを当該記憶領域に保存したり読み出したりできる。そして、地震や火事などの災害により加入者のオフィスや家に保管していた記憶媒体のデータが消失しても、オフィスや家などの情報機器が回復した後などに、通信ネットワーク経由で第１の情報記憶装置にアクセスして保存しておいたデータを読み出すことができる。また、第１の情報貸金庫が万一大地震などによって破壊されたり焼失したりしても、第１の情報貸金庫の各記憶領域に記憶されていたデータのバックアップデータが第１の情報貸金庫とは別の場所に設置された第２の情報貸金庫に保存されているので、各加入者の大切なデータが失われることはない。
【００４４】
また、請求項３に記載の情報貸金庫システムでは、請求項２の効果に加え、通信ネットワークと第１の情報貸金庫とを結ぶ通信ラインに断線などの異常が生じたり、第１の情報貸金庫が何らかの原因で機能停止したりしても、各加入者は通信ネットワーク経由で第２の情報貸金庫に保存されている自分のデータのバックアップデータの記憶領域に自由にアクセスして保存されているデータを読み出したり、新たに作成したデータやそのバックアップデータなどを当該記憶領域に保存したり読み出したりすることができる。
【図面の簡単な説明】
【図１】本発明の情報貸金庫システムの実施の形態の一例を示すシステム構成図である。
【図２】図１に示す情報貸金庫システムにおける管理装置の動作内容を示すフローチャートである。
【図３】加入者側の端末に表示される表示画面を例示した図である。
【図４】加入者側の端末に表示される別の表示画面を例示した図である。
【図５】本発明の情報貸金庫システムの実施の形態の別の例を示すシステム構成図である。
【図６】図５に示す情報貸金庫システムにおける第１の管理装置の動作内容を示すフローチャートである。
【図７】図５に示す情報貸金庫システムにおける第２の管理装置の動作内容を示すフローチャートである。
【図８】非常時に加入者側の端末に表示される表示画面を例示した図である。
【図９】非常時に加入者側の端末に表示される別の表示画面を例示した図である。
【符号の説明】
１：インターネット
２：情報貸金庫（情報記憶装置）
２-1：第１の情報貸金庫（第１の情報記憶装置）
２-2：第２の情報貸金庫（第２の情報記憶装置）
３：管理装置
３-1：第１の管理装置
３-2：第２の管理装置
４-1、４-2、４-3：ＰＣ（各加入者の情報端末）
５：中継装置
６、７、８：通信ライン
９：公衆回線
６-1、６-2：通信ライン
７-1、７-2：通信ライン
【図１】
0004304261.tif 000002
【図２】
0004304261.tif 000003
【図３】
0004304261.tif 000004
【図４】
0004304261.tif 000005
【図５】
0004304261.tif 000006
【図６】
0004304261.tif 000007
【図７】
0004304261.tif 000008
【図８】
0004304261.tif 000009
【図９】
0004304261.tif 000010